(57)【要約】【課題】  ドラムに巻き取られた電気コードが弛んで垂れ下がることなくプラグ部分を簡単に固定することができる電工ドラムを提供する。【解決手段】  水平に突出させたドラム回転軸芯４に電気コード巻付け用のドラム１を回転可能に支持した支持パイプ５のコード巻き込み側の水平脚部５ｃに対して、前記電気コード１０が通過可能で且つその電気コード１０の先端に設けたプラグ９を通過させない平行幅にプラグ止棒８を配するとともに水平脚部５ｃとプラグ止棒８との間に電気コード１０の先端を通過させて前記プラグ止棒８の両端を前記支持パイプ５に固定する。  水平脚部５ｃに対してプラグ止棒８は、前記ドラム１に電気コード１０を巻いたときに、水平脚部５ｃとプラグ止棒８に挟持された状態でプラグ９の端子９ａが斜め上向きなる角度αとなって止まるように、プラグ止棒８を水平脚部５ｃに対して内側にずらして固定する。【選択図】    図２
0003130845.tif 000002
【実用新案登録請求の範囲】
【請求項１】
ドラム固定部を水平脚部に立設させた支持パイプの該ドラム固定部に、ドラム回転軸芯を水平に突設して該ドラム回転軸芯に電気コード巻付け用のドラムを回転可能に装着し、前記ドラムの側面にコンセントを装着して、該コンセントに先端部にプラグを備えた電気コードの基端部を前記ドラムの内側から接続し、前記ドラムを回転させて該ドラムに電気コードを巻き取れるようにした電工ドラムにおいて、
前記支持パイプのコード巻き込み側の水平脚部に対して、前記コード部分が通過可能で且つそのコード部分の先端に設けたプラグ部分を通過させない幅でプラグ止棒を平行状態に配すとともに該水平脚部とプラグ止棒との間に前記コードをコード先端がドラム側からその外側に向かうように配して、前記プラグ止棒の両端を前記支持パイプに固定したことを特徴とする電工ドラム。
【請求項２】
ドラムにコードを巻き着けた際に、水平脚部とプラグ止棒とにより、プラグがその接続端子部分を斜め上向き状態に挟持されるように支持パイプにプラグ止棒を固定したことを特徴とする請求項１に記載の電工ドラム。
【請求項３】
プラグ止棒に、支持パイプに固定できるように着脱手段を設けたことを特徴とする請求項１又は２に記載の電工ドラム。
【請求項４】
プラグ止棒の着脱手段を、固定ネジの回転で前記水平脚部にプラグ止棒を着脱可能に固定できるように、プラグ止棒の両端に水平脚部が挿入可能な径の装着管を、該プラグ止棒と平行状に且つ管中心線を共通させて前記水平脚部を挿入可能にそれぞれ設け、該各装着管の側面にネジ孔を設けて固定ネジをそれぞれ螺着したことを特徴とする請求項３に記載の電工ドラム。
【請求項５】
プラグ止棒の中央部を、ドラム中央に向けて山型に突出するように屈曲させたことを特徴とする請求項１から４のうちいずれかに記載の電工ドラム。
【考案の詳細な説明】
【技術分野】
【０００１】
本考案は、電気工事などに用いる電気コードを巻取るためのドラムを備えた電工ドラムに関する。
【背景技術】
【０００２】
電気工事などに用いる電気コードを巻付ける従来の電工ドラムは、電気コードの端部にあるプラグが垂れ下がり、移動するときに電気コードの端部とプラグが地面に擦れて汚れたり、損傷する心配があった。
また、電気コードが弛んだままにドラムに巻き付けようとすると、電気コードがドラムから外れて支持パイプに絡み着くことがあり、そうなると電気コードを巻き直すのに大変に手間が掛かる。
また、電気コードが垂れ下がることを防止するために、電気コード同士を挟んで固定するプラスチック製のクリップが提供されているが、その固定を巻き取りする都度行うことは面倒なことと、電気コードが汚れているとその電気コードを掴む手が汚れるために殆ど使用されていない。
そこで、通常、ドラム側面に備わるコンセントの差込み孔にプラグを差込んでプラグが垂れ下がらないようにするなどの工夫をして使用しているのが実情である。
【特許文献１】特開２００１-３１３３３号公報
【考案の開示】
【考案が解決しようとする課題】
【０００３】
しかし、そのように電気コードの端部のプラグを毎回コンセントに差込むのは面倒でもあり、また差込んでプラグを固定したとしても、そのコンセントからドラムまでの間の電気コードが自重で弛んで垂れ下がり、その垂れ下がった部分は持ち運び中にさらに長くドラムから引き出されていってしまうなどの問題があった。
そこで、本考案は、ドラムの巻き取られた電気コードが弛んで垂れ下がることなくプラグ部分を簡単に固定することができる電工ドラムを提供することを目的とする。
【課題を解決するための手段】
【０００４】
上記課題を解決するための本考案の電工ドラムは、請求項１に記載の考案においては、  ドラム固定部を水平脚部に立設させた支持パイプの該ドラム固定部に、ドラム回転軸芯を水平に突設して該ドラム回転軸芯に電気コード巻付け用のドラムを回転可能に装着し、前記ドラムの側面にコンセントを装着して、該コンセントに先端部にプラグを備えた電気コードの基端部を前記ドラムの内側から接続し、前記ドラムを回転させて該ドラムに電気コードを巻き取れるようにした電工ドラムにおいて、前記支持パイプのコード巻き込み側の水平脚部に対して、前記電気コードが通過可能で且つその電気コードの先端に設けたプラグを通過させない幅でプラグ止棒を平行状態に配すとともに該水平脚部とプラグ止棒との間に前記電気コードをコード先端がドラム側からその外側に向かうように配して、前記プラグ止棒の両端を前記支持パイプに固定したことを特徴とする。
【０００５】
請求項２に記載の考案は、上記考案において、前記ドラムに電気コードを巻き着けたときに、水平脚部とプラグ止棒との間に、プラグの端子が斜め上向き状態で挟持されるように支持パイプにプラグ止棒を固定したことを特徴とする。
【０００６】
請求項３に記載の考案は、上記各考案において、前記プラグ止棒を、着脱手段を介して支持パイプに固定できるようにしたことを特徴とする。
【０００７】
請求項４に記載の考案は、上記各考案において、前記プラグ止棒の着脱手段が、プラグ止棒の両端にプラグ止棒と平行で且つ管中心線が共通するように水平脚部が挿入可能な径の装着管をそれぞれ設け、各装着管の側面に固定ネジを螺着したネジ孔を設けて、前記固定ネジの回転で前記水平脚部にプラグ止棒を着脱可能に固定できるようにしたことを特徴とする。
【０００８】
請求項５に記載の考案は、上記各考案において、前記プラグ止棒の中央部を、ドラム中央に向けて山型に突出するように屈曲させたことを特徴とする。
【考案の効果】
【０００９】
本考案は上記構成なので、ドラムから引き出された電気コードを巻き取るとき、電気コードが前記水平脚部と前記プラグ止棒との間を通過し、最後に電気コードの先端のプラグが引っ掛かって水平脚部とプラグ止棒との間にプラグが挟持された状態で止まる。
このとき、電気コードのプラグとドラムとの間部分の自重は軽いので、自重による巻き戻りは起こらずプラグが固定されるため、電気コードの弛みや、垂れ下がりが生じない。
また、電気コードの巻き取り中に、電気コードは前記プラグ止棒で大きく振れることなく拘束されるためドラム回りの巻き付き部分の片寄った巻き取りが起こらず綺麗に巻き取れ、また電気コードがドラムから外れて支持パイプに絡みつくことはない。
即ち、巻き取り作業が終了したら、電気コードやプラグに一切手を触れることなく、そのままで電気コードが弛まないように固定できるようになる。
【００１０】
また、請求項２に記載の考案では、電気コードを巻いたときに、自動的にプラグの端子が斜め上向きにプラグ止棒に挟持された状態で固定されるので、そのまま汚れた地面に直に置いてもプラグが汚れることはない。
【００１１】
さらに、請求項３に記載の考案では、前記プラグ止棒が着脱手段を介して既存の水平脚部に適宜固定したり取り外したりすることが可能となる。
その際、請求項４に記載の考案では、コード巻き込み側の水平脚部の先端から、該両装着管を差し込んでプラグが斜め上向きの角度となるようにその角度を自由に決めてプラグ止棒を固定ネジで水平脚部に固定することができる。
【００１２】
また請求項５に記載の考案では、電気コードを巻くときに、前記プラグ止棒の中央部に電気コードが自動的に寄せられて行き、ドラム回りの巻き付きの片寄りが起こらずより綺麗に巻き取れりとともに最後にプラグが中央部で掛止されるようになる。
【考案を実施するための最良の形態】
【００１３】
本考案の実施の形態を示す図に基づいて以下説明する。
本考案の電工ドラムは、図１及び図２に示すように、上部にグリップ部５ａを備え、下部の水平脚部５ｃにドラム固定部５ｂを立設させた外径２０ｍｍの支持パイプの前記ドラム固定部５ｂにドラム回転軸芯４を、ドラム支持板６を設けて回転芯軸固定部７に水平に突出させ、そのドラム回転軸芯４に電気コード巻付け用のドラム１を回転可能に支持し、前記ドラム１のフランジ３の側面にコンセント１１を装着してそのコンセント１１に、先端部にプラグ９を備えた電気コード１０の基端部を前記ドラム１の内側から接続してある。
使い方は、前記ドラム１を回転させて電気コード１１を引き出し、その電気コード１１のプラグ９を電源に接続して、コンセント１１に工事用の電気器具などの電源プラグを差込んで通電させて電気器具を使用する。
そして、電気器具の使用が終わったらコンセント１１から電気器具の電源プラグを抜いてフランジ２に設けたドラム回転ハンドル１２で前記ドラム１を回転させて該ドラム１に電気コード１１を巻き取って置く。
【００１４】
本考案はこの様な電工ドラムの前記支持パイプ５の下部に水平に屈曲形成したコード巻き込み側の水平脚部５ｃに対して、図１に示すように、前記電気コード１０が通過可能で且つその電気コード１０の先端に設けたプラグ９を通過させない平行な幅（プラグ９の厚さが１５ｍｍならばそれより狭い１２ｍｍ幅）になるように棒径６ｍｍのプラグ止棒８を配し、そのプラグ止棒８の両端を前記支持パイプ５の水平脚部５ｃ及びドラム固定部５ｂに溶接で固着する。
前記電気コード１０は、溶接で固着する前に前記水平脚部５ｃとプラグ止棒８との間に前記電気コード１０をコード先端がドラム側からその外側に向かうように配しておき、前記プラグ止棒８の両端を前記支持パイプ５に固定する方法と、溶接で固着した後に前記電気コード１０の先端からプラグ９を一旦外し、前記水平脚部５ｃとプラグ止棒８との間にそのコード先端を通過させてからプラグ９を付け直す方法とが可能である。
なお、屋外などで使用すると濡れて金属に錆びが発生しやすくなるので、使用部材は鉄の場合には塗装し、塗装しない部品はステンレスを用いることが好ましい。
【００１５】
また、請求項２に記載の考案では、図３の（ロ）に示すように、前記ドラム１に電気コード１０を巻いたときに、水平脚部５ｃとプラグ止棒８に挟持された状態でプラグ９の端子９ａが斜め上向きなる角度αとなって止まるように、プラグ止棒８を水平脚部５ｃに対して内側にずらして固定する。
【００１６】
さらに請求項３に記載の考案では、前記プラグ止棒８を、着脱手段を介して前記支持パイプ５に固定できるようにする。
この着脱手段は各種態様が可能であるが、用いる電工ドラムは、図１に示すように、支持パイプの水平脚部５ｃの両先端が支持パイプの両脚部つなぎ部５ｄで繋がっているタイプの場合には、支持パイプを挟みつけてボルトで固定することも可能である。
また、図２に示すように、支持パイプの水平脚部５ｃの両先端が独立している場合には、請求項４に記載の考案の形態が可能である。
この形態では、図３の（イ）に示すように、コ字型に曲げたプラグ止棒８の両端にプラグ止棒８と平行で且つ管中心線が共通するように、そして前記水平脚部５ｃが挿入可能な２１ｍｍの内径の両装着管１３、１４を溶接する。
両装着管１３、１４は前記電気コード１０の表面を角で傷付けないように面取り加工しておくとよい。
そして、図３の（ロ）に示すように、該両装着管１３、１４の側面にはネジ孔１６を設けて、このネジ孔１６に固定ネジ１６を螺着して、前記水平脚部５ｃにプラグ止棒８を着脱可能に固定できるようにすることが可能である。
【００１７】
また、請求項５に記載の考案では、図４に示すように、前記プラグ止棒８の中央部８ａを、ドラム１中央に向けて山型に突出するように屈曲させる。
この場合には、電気コード１０を巻くときに、その傾斜面で前記プラグ止棒８の中央部８ａに電気コード１０が寄って行き、ドラム回りの巻き付きの片寄り現象が起こらず、より綺麗にドラム１に巻き取れ、最後にプラグ９が中央部で止められるようになる。
【産業上の利用可能性】
【００１８】
本考案は電気工事用の巻き取りドラムに関する考案であるが、電気工事用に限定するものではなく、コード先端にプラグを備えた各種の巻き取りドラムに使用することが可能である。
【図面の簡単な説明】
【００１９】
【図１】本考案の斜視図である。
【図２】別の形態の斜視図である。
【図３】請求項４の形態の（イ）が、部品を分離した状態を示し、（ロ）が装着後の状態の要部を示す各斜視図である。
【図４】請求項５の形態の要部を示す斜視図である。
【符号の説明】
【００２０】
１    ドラム
２    ハンドル側フランジ
３    コンセント側フランジ
５    支持パイプ
５ａ  支持パイプのグリップ部
５ｂ  支持パイプのドラム固定部
５ｃ  支持パイプの水平脚部
５ｄ  支持パイプの両脚部つなぎ部
４    ドラム回転芯軸
６    ドラム支持板
７    回転芯軸固定部
８    プラグ止棒
８ａ  プラグ止棒の中央部
９    プラグ
９ａ  プラグの端子
１０    電気コード
１１    コンセント
１２    ドラム回転ハンドル
１３    プラグ止棒の装着管
１４    プラグ止棒の装着管
１５    固定ネジ
１６    ネジ孔
【図１】
0003130845.tif 000003
【図２】
0003130845.tif 000004
【図３】
0003130845.tif 000005
【図４】
0003130845.tif 000006